(57)【特許請求の範囲】
【請求項１】
端子枠内に挿入される電線を、端子ねじの先端部と電線に電気的に接続される接触端子部の間で固定するピラー端子において、
前記端子ねじの先端部と前記電線との間に端子補助板が設けられ、この端子補助板と前記接触端子部との間で電線を固定し、
前記端子枠内において前記電線及び前記端子補助板が配置される空間を端子枠貫通孔とし、前記端子補助板において前記端子枠貫通孔の伸びる方向の各端部をそれぞれ第１端部及び第２端部として、
前記第１端部には、前記端子ねじに向けて伸びる第１側壁が設けられ、
前記第２端部には、前記端子ねじに向けて伸びる第２側壁が設けられ、
前記第１側壁及び前記第２側壁において互いに対向する面をそれぞれ第１側壁内面及び第２側壁内面として、
前記第１側壁は前記端子枠の外に配置されるとともに、前記第１側壁内面が前記端子枠の壁部と接触し、
前記第２側壁内面は前記端子ねじの先端部の側面と接触する
ことを特徴とするピラー端子。
【請求項２】
ピラー端子と刃受け部とが組み合わせられた端子において、
前記刃受け部は、電線が配置される接触端子部を含むものであり、
当該端子は、前記ピラー端子として請求項１に記載のピラー端子を備えるとともに、
前記端子ねじの先端部と前記端子枠の底面部との間に前記端子補助板及び前記電線及び前記接触端子部が順に配置されるものであり、
前記接触端子部は、前記端子枠の幅方向において中間部が両端部よりも前記端子枠の底面部に向けて窪んだ形状のものである
ことを特徴とする端子。
【請求項３】
請求項２に記載の端子において、
前記端子枠の底面部は前記接触端子部に沿う形状にされている
ことを特徴とする端子。
【請求項４】
請求項２又は３に記載の端子において、
前記刃受け部は、プラグと接触する刃受けばねを含むものであり、
前記接触端子部と前記刃受けばねとが一体のものとして構成されている
ことを特徴とする端子。
【請求項５】
請求項２〜４のいずれか一項に記載の端子において、
前記接触端子部についての前記電線との接触面には、前記電線に係合する係合部が設けられている
ことを特徴とする端子。
【請求項６】
請求項１に記載のピラー端子又は請求項２〜５のいずれか一項に記載の端子を含むコンセント。
【請求項７】
請求項１に記載のピラー端子を含むスイッチ。
【発明の詳細な説明】
【技術分野】
【０００１】
本発明は、電線とこの電線に電気的に接続される接触端子部とが内側に挿入される端子枠と、端子枠に対して移動する態様で端子枠に設けられた端子ねじを備え、端子ねじの先端部とこの先端部に対向する端子枠の底面部との間において先端部から順に電線と接触端子部とを配置し、端子ねじの先端部を接触端子部に向けて移動することにより電線と接触端子部とを押圧するピラー端子並びにその電線接続構造を有するコンセント及びスイッチに関する。
【背景技術】
【０００２】
コンセントの刃受けと電線とを接続する接続端子としてピラー端子が知られている（例えば、特許文献１）。ピラー端子の端子枠内には１本又は複数本の電線が挿入される。電線と接触端子部とが端子ねじにより押圧されることにより、電線と接触端子部とが電気的に接続される。
【先行技術文献】
【特許文献】
【０００３】
【特許文献１】特開２００３−２４９２８２号公報
【発明の概要】
【発明が解決しようとする課題】
【０００４】
ところが、電線は端子ねじの先端部で押圧されるために、電線の位置がずれたときには端子ねじの先端部で電線を十分に押圧することができずに電線と接触端子部との接触圧力が不十分となることがあった。
【０００５】
本発明はこのような実情に鑑みてなされたものであり、その目的は、電線と接触端子部とを確実に押圧することができるピラー端子及び端子及びコンセント及びスイッチを提供することにある。
【課題を解決するための手段】
【０００６】
以下、上記目的を達成するための手段及びその作用効果について記載する。
（１）請求項１に記載の発明は、端子枠内に挿入される電線を、端子ねじの先端部と電線に電気的に接続される接触端子部の間で固定するピラー端子において、前記端子ねじの先端部と前記電線との間に前記端子補助板が設けられ、この端子補助板と前記接触端子部との間で電線を固定することを要旨とする。
【０００７】
この発明によれば、端子補助板が端子ねじとともに移動して、同端子補助板が電線を押圧するようになるため、電線と接触端子部とを確実に押圧することができる。
また、請求項１に記載の発明は、前記端子枠内において前記電線及び前記端子補助板が配置される空間を端子枠貫通孔とし、前記端子補助板において前記端子枠貫通孔の伸びる方向の各端部をそれぞれ第１端部及び第２端部として、前記第１端部には、前記端子ねじに向けて伸びる第１側壁が設けられ、前記第２端部には、前記端子ねじに向けて伸びる第２側壁が設けられることを要旨とする。
【０００８】
この発明によれば、端子ねじにより電線を固定する作業の過程において、端子補助板が端子枠に対して移動したとしても第１側壁または第２側壁が端子ねじに係合するため、端子補助板が端子枠から抜けることを抑制することができる。
【０００９】
また、請求項１に記載の発明は、前記第１側壁及び前記第２側壁において互いに対向する面をそれぞれ第１側壁内面及び第２側壁内面として、前記第１側壁は前記端子枠の外に配置されるとともに、前記第１側壁内面が前記端子枠の壁部と接触することを要旨とする。
【００１０】
この発明によれば、端子補助板は、端子枠の壁部に係合して保持されているため、端子補助板が端子枠から抜けることが抑制される。
また、請求項１に記載の発明は、前記第１側壁及び前記第２側壁において互いに対向する面をそれぞれ第１側壁内面及び第２側壁内面として、前記第２側壁内面が前記端子ねじの先端部の側面と接触することを要旨とする。
【００１１】
この発明によれば、端子補助板が端子枠の壁部に係合して保持されるとともに、第２側壁内面が端子ねじの先端部の側面と接触することにより、端子補助板が第１端部または第２端部が設けられている方向についての移動が抑制されるため、端子補助板により電線を押圧する際に、安定して端子補助板を固定することができる。
【００１２】
（２）請求項２に記載の発明は、ピラー端子と刃受け部とが組み合わせられた端子において、前記刃受け部は、電線が配置される接触端子部を含むものであり、当該端子は、前記ピラー端子として請求項１に記載のピラー端子を備えるとともに、前記端子ねじの先端部と前記端子枠の底面部との間に前記端子補助板及び前記電線及び前記接触端子部が順に配置されるものであり、前記接触端子部は、前記端子枠の幅方向において中間部が両端部よりも前記端子枠の底面部に向けて窪んだ形状のものであることを要旨とする。
【００１３】
端子ねじをねじ込んで端子補助板を接触端子部の方に移動させるときに、端子補助板と接触端子部との間に挟まれる電線が接触端子部の側端の方に移動することがある。この点、本発明によれば、端子枠は、その幅方向において中間部が両端部よりも端子枠の底面部に向けて窪んだ形状のものであるため、電線が接触端子部の端の方へ移動することを抑制することができる。
【００１４】
（３）請求項３に記載の発明は、請求項２に記載の端子において、前記端子枠の底面部は前記接触端子部に沿う形状にされていることを要旨とする。
端子枠の底面部は前記接触端子部に沿う形状とされていないものであれば、接触端子部と端子枠の底面部との間の隙間が不均等になるため、電線の配置によって、電線と接触端子部との接触が不十分となることがある。この点、この発明によれば、端子枠の底面部は前記接触端子部に沿う形状とされていないものと比較して、接触端子部と端子枠の底面との間の隙間が均等になるため、電線と接触端子部との接触が不十分となることが生じる頻度を抑制することができる。
【００１５】
（４）請求項４に記載の発明は、請求項２又は３に記載の端子において、前記刃受け部は、プラグと接触する刃受けばねを含むものであり、前記接触端子部と前記刃受けばねとが一体のものとして構成されていることを要旨とする。
【００１６】
この発明によれば、接触端子部と刃受けばねとが一体のものとして形成されるため、複数の部材により構成されるものと比較して組立工程等を省略することができ、その分製造コストを低減することができる。
【００１７】
（５）請求項５に記載の発明は、請求項２〜４のいずれか一項に記載の端子において、前記接触端子部についての前記電線との接触面には、前記電線に係合する係合部が設けられていることを要旨とする。
【００１８】
この発明によれば、電線が接触端子部に押圧されたときに電線と係合部とが係合する。このため、電線の軸方向に引っ張る力が同電線に加わったときでも、電線の側面と係合部とが引っ掛かる。すなわち、ピラー端子からの電線の抜けを抑制することができる。
【００１９】
（６）請求項６に記載の発明は、請求項１に記載のピラー端子又は請求項２〜５のいずれか一項に記載の端子を含むコンセントであることを要旨とする。
この発明によれば、電線と接触端子部と電気的に接続する接続構造が上記のピラー端子により構成されているため、電線と接触端子部とが確実に押圧される。このため、コンセントからの電力供給が不安定になることを抑制することができる。
【００２０】
（７）請求項７に記載の発明は、請求項１に記載のピラー端子を含むスイッチであることを要旨とする。
この発明によれば、電線と接触端子部と電気的に接続する接続構造が上記のピラー端子により構成されているため、電線と接触端子部とが確実に押圧される。このため、スイッチの誤動作が生じる頻度を抑制することができる。
【発明の効果】
【００２１】
本発明によれば、電線と接触端子部とを確実に押圧することができるピラー端子及び端子及びコンセント及びスイッチを提供することができる。
【図面の簡単な説明】
【００２２】
【図１】本発明のコンセントを具体化した第１実施形態について、同コンセントを分解した状態を示す分解斜視図。
【図２】同実施形態のコンセントについて、その断面構造を示す断面図。
【図３】同実施形態のコンセントのボディにピラー端子及び刃受け部を収容したものの斜視構造を示す斜視図。
【図４】同実施形態のコンセントの刃受け部について、その斜視構造を示す斜視図。
【図５】同実施形態のコンセントの刃受け部について、その側面構造を示す側面図。
【図６】同実施形態のコンセントの刃受け部について、その正面構造を示す正面図。
【図７】同実施形態のコンセントの比較となる従来の刃受け部について、その斜視構造を示す斜視図。
【図８】同実施形態のコンセントの刃受け部と従来の刃受け部について、（ａ）は本実施形態の刃受け部の平面構造を示す平面図、（ｂ）は従来の刃受け部の平面構造を示す平面図。
【図９】同実施形態のコンセントのピラー端子についてその斜視構造を示す斜視図。
【図１０】同実施形態のコンセントのピラー端子についてその平面構造を示す平面図。
【図１１】同実施形態のコンセントの端子補助板についてその斜視構造を示す斜視図。
【図１２】同実施形態の端子部に電線を取り付けたものについて、この電線接続状態の端子部の斜視構造を示す斜視図。
【図１３】同実施形態の端子部に電線を取り付けた状態のものについて、この電線接続状態の端子部を下方から見た下面図。
【図１４】同実施形態の端子部に電線を取り付けた状態のものについて、端子部を透視して見た透視図。
【図１５】本発明のスイッチを具体化した第２実施形態について、同スイッチの斜視構造を示す斜視図。
【図１６】同実施形態のスイッチについて、その断面構造を示す断面図。
【図１７】同実施形態のスイッチの端子部について、その斜視構造を示す斜視図。
【発明を実施するための形態】
【００２３】
（第１実施形態）
図１〜図１４を参照して、本発明の第１実施形態について説明する。この実施形態では、ピラー端子を含むコンセントとして本発明を具体化した一例を示している。また、コンセントの構成としては、栓刃のプラグ及び丸ピンのプラグの双方に対応したものを挙げている。
【００２４】
図１に示すように、コンセントＡは、同コンセントＡの外枠を構成する収容ケース１と、プラグの栓刃が接続される一対の端子部３と、同プラグの栓刃が差し込まれる差込口２２を開閉する扉部２とにより構成されている。
【００２５】
以降では、コンセントＡに対してプラグの栓刃が挿入される方向を「上下方向」とし、そのコンセントＡにおいて差込口２２がある方向を「上方」とし、その反対方向を下方とする。差込口２２の並び方向を「長手方向」とし、この長手方向及び上下方向のいずれにも直行する方向を「幅方向」とする。
【００２６】
収容ケース１には、端子部３の一部を収容するボディ１０と、ボディ１０に取り付けられるカバー２０と、ボディ１０とカバー２０とを係止する係止部品２３とが設けられている。カバー２０には、一対の差込口２２が設けられている。ボディ１０の長手方向の両側面には第１係合部１１が設けられている。カバー２０の長手方向の側面には第２係合部２１が設けられている。第１係合部１１と第２係合部２１は、カバー２０とボディ１０とを組み付けた状態で上下に隣り合うようになっている。係止部品２３は、第１係合部１１と第２係合部２１とに係合して、カバー２０とボディ１０とを締結する。
【００２７】
扉部２には、差込口２２を開閉する一対の開閉体３０と、開閉体３０を付勢する開閉ばね３１と、扉部２を支持する支持部３２とが設けられている。開閉体３０は、カバー２０の長手方向の長さよりも短くされ、差込口２２を閉鎖するようにカバー２０の内側に設けられている。開閉体３０の側面とカバー２０の幅方向の内側面との間には開閉ばね３１が設けられ、一対の開閉体３０が互いに押圧するようにされている。支持部３２は、開閉体３０及び開閉ばね３１を覆うようにしてカバー２０に取り付けられる。同支持部３２は、開閉体３０が幅方向に移動することができるように同開閉体３０を支持している。また同支持部３２には、一対の差込口２２に対応するように一対の栓刃挿通口３３が設けられている。
【００２８】
端子部３には、プラグの栓刃及び丸ピンが挿入される一対の刃受け部４０と、電線３００と刃受け部４０とを接続する一対のピラー端子８０とが設けられている。刃受け部４０は差込口２２に対応する位置に設けられている。ピラー端子８０は、刃受け部４０に対応する位置に設けられている。ピラー端子８０には、電線３００を押圧する端子補助板９０と、端子補助板９０を押圧する端子ねじ１００と、端子ねじ１００を支持する端子枠１１０とが設けられている。
【００２９】
図２を参照して、コンセントＡの差込口２２及び開閉体３０及び刃受け部４０の位置関係について説明する。差込口２２はカバー２０に長手方向に並列している。差込口２２の下方には、開閉体３０が設けられる。開閉体３０の下方には刃受け部４０が設けられている。刃受け部４０の下方にはピラー端子８０が設けられている。
【００３０】
図３を参照して、ボディ１０について端子部３を収容する収容構造を説明する。同図には、一組のピラー端子８０及び刃受け部４０が収容された状態のボディ１０が示されている。
【００３１】
ボディ１０には、長手方向の中間部に隔壁１２が設けられている。ボディ１０の内部は、隔壁１２により２つの端子収容室１３に区切られている。各端子部３は隔壁１２により絶縁される。端子収容室１３には、刃受け部４０を収容する刃受け部収容室１４と、ピラー端子８０を収容するピラー端子収容室１５とが設けられている。
【００３２】
刃受け部収容室１４は、ボディ１０の上部且つ幅方向に亘って設けられている。刃受け部収容室１４の中間部よりも幅方向に離れた位置に突起１６が設けられている。刃受け部４０は、刃受け部収容室１４に配置され、突起１６により位置決めされる。
【００３３】
ピラー端子収容室１５は、ボディ１０の下部且つ幅方向の半分の領域に設けられている。２つのピラー端子収容室１５はボディ１０に対して対角線上に配置されている。ピラー端子収容室１５の底面部１７であって且つピラー端子８０に対向する部分には、電線３００が通る電線挿通口１７ａが設けられている。ピラー端子収容室１５の側面部１８であって且つピラー端子８０と対向する部分には、端子ねじ１００を回すための開口部１８ａが形成されている。
【００３４】
図４〜図７を参照して、刃受け部４０について説明する。
刃受け部４０には、栓刃または丸ピンが差し込まれる刃受けばね５０と、電線３００と接触する接触端子部７０と、刃受けばね５０と接触端子部７０とを連結する連結部６０とが設けられている。刃受けばね５０と接触端子部７０と連結部６０とは一体的なものであり、一つの部材から加工されている。ここでは、刃受けばね５０に対して丸ピンが挿入される軸を丸ピン挿入軸ＣＡとし、刃受けばね５０に対して栓刃が挿入される栓刃挿入軸ＣＢとする。
【００３５】
刃受けばね５０は、刃受け部本体５１と、丸ピンと接触する一対の丸ピン受けばね５３と、栓刃と接触する一つの栓刃受けばね５５とにより構成されている。
一対の丸ピン受けばね５３は、刃受け部本体５１の幅方向の両側端５２に、互いに対向するように設けられている。同丸ピン受けばね５３は、丸ピン挿入軸ＣＡに対して、上方に向かうにつれて幅方向に広がるように屈曲され、所定高さを超えたところで徐々に狭まるように屈曲され、さらに上方に向かうにつれて再度広がるように形成されている。丸ピン受けばね５３の間隔が狭まるところには、丸ピンと接触する丸ピン接触部５３ａが設けられている。丸ピン受けばね５３のそれぞれは、図５に示すように側面視で異なった形状となっている。すなわち、刃受け部本体５１に対して連結部６０と同じ側に設けられている丸ピン受けばね５３には、その根元を切り欠いた切り欠き部５４が設けられている。他方の丸ピン受けばね５３には切り欠き部５４が設けられていない。切り欠き部５４は連結部６０を形成するために設けられている。すなわち、丸ピン受けばね５３を平面状に展開したときに丸ピン受けばね５３と連結部６０とが重ならないようになっている。このような形状により、刃受け部４０は一枚の部材から形成されるようになっている。
【００３６】
栓刃受けばね５５は、刃受け部本体５１の長手方向の側に設けられている。連結部６０が設けられている。同栓刃受けばね５５は、栓刃挿入軸ＣＢに対して、上方に向かうにつれて幅方向に広がるように屈曲され、所定高さを超えたところで徐々に狭まるように屈曲され、さらに上方するにつれて再度広がるように屈曲されている。栓刃受けばね５５が栓刃挿入軸ＣＢに対して狭まるところには、栓刃と接触する栓刃接触部５５ａが設けられている。
【００３７】
連結部６０は、同刃受け部本体５１と同一平面となるように設けられている。連結部６０の幅方向の側端６２には、刃受け部４０を位置決めする位置決め部６１が設けられている。位置決め部６１は、刃受け部４０がボディ１０に嵌め込められたときに、ボディ１０の側壁に当たるようになっている。
【００３８】
接触端子部７０は、連結部６０の長手方向の側端に、この連結部６０に対して垂直な方向且つ下方に延びるように設けられている。図４に示すように、接触端子部７０は、その断面が円弧状となるように形成されている。すなわち接触端子部７０のうちで電線３００に接触する接触面７１が円弧状に凹む形状に形成され、その両側端が、端子補助板９０が配置されている方向（図中右方向）に向かって屈曲している。すなわち、接触端子部７０は、端子枠１１０の幅方向において中間部が両端部よりも端子枠１１０の底面部１１５に向けて窪んだ形状となっている。また図６に示すように接触面７１には、幅方向に延びる溝７２が複数形成されている。電線３００は接触端子部７０に沿って下方に配置される。すなわち、溝７２は、電線３００の配線方向と交差する方向に延びるように形成されている。
【００３９】
図７及び図８を参照して、従来の刃受け部９００と本実施形態の刃受け部４０との構造上の違いについて説明する。
図７及ぶ図８（ａ）に示すように、従来の刃受け部９００は３つの部品から構成されている。すなわち、従来の刃受け部９００は、刃受けばね９１０と、この刃受けばね９１０に固定されるとともに電線３００に接続される端子部９２０と、より構成されている。刃受けばね９１０と端子部９２０とはリベット９３０により固定されている。端子部９２０には、電線３００と接触する接触端子部９２１が設けられている。刃受けばね９１０と端子部９２０とを同一平面状に展開したときには、刃受けばね９１０の丸ピン受けばね９１２と端子部９２０とが重なる構造となっている。
【００４０】
図８には、従来の刃受け部９００の平面構造と、本実施形態の刃受け部４０の平面構造とを示されている。同図に示されるように、従来の刃受け部９００の丸ピン受けばね９１２と栓刃受けばね９１３との配置関係は、本実施形態の刃受け部４０と同様になっている。一方、丸ピン受けばねの形状の対称性については、従来の丸ピン受けばね９１２は対称となっているのに対して、本実施形態では片方の丸ピン受けばね５３に切り欠き部５４が設けられて非対称となっている。また、接触端子部９２１については、従来のものでは刃受け部本体９１１に対して対称的な位置に一対設けられているのに対し、本実施形態では刃受け部本体５１に対して接触端子部７０が一つ設けられている。刃受け部を平面状に展開した展開構造については、従来のものでは刃受けばね９１０と端子部９２０とが重なるものとなっているのに対して、本実施形態のものでは、刃受けばね５０と連結部６０と接触端子部７０とは重ならないものとなっている。
【００４１】
図９及び図１０を参照して、ピラー端子８０について説明する。
ピラー端子８０の端子枠１１０は、端子枠貫通孔１１１を有した筒状体により構成されている。すなわち、端子枠１１０は、第１上面部１１３と、第１上面部１１３に設けられる第１側面部１１４と、第１側面部１１４に設けられる底面部１１５と、底面部１１５に設けられる第２側面部１１６と、第２側面部１１６に設けられ第１上面部１１３の内側に配置される第２上面部１１７とにより構成されている。第１側面部１１４と第２側面部１１６は向かいあって配置されている。また底面部１１５と第２上面部１１７は向かいあって配置されている。
【００４２】
第１上面部１１３には、開口部１１３ａが設けられている。第２上面部１１７には、突出するように円筒状のねじ穴１１２が形成されている。ねじ穴１１２は、開口部１１３ａに嵌りこむようになっている。ねじ穴１１２には端子ねじ１００がねじ込まれている。底面部１１５は、接触端子部７０に沿うように円弧状に形成されている。また、ピラー端子８０の端子枠貫通孔１１１には、端子補助板９０が挿入されている。端子ねじ１００が端子枠１１０に対してねじ込まれたときに、端子ねじ１００の先端部１０１が端子補助板９０に当たるようになっている。
【００４３】
図１１を参照して端子補助板９０について説明する。
端子補助板９０は、平板部９１と、平板部９１の一方の側端（第１端部）に設けられて同平板部９１に対して垂直に延びる第１側壁９２と、平板部９１の他方の側端（第２端部）に設けられて同平板部９１に対して垂直に延びる第２側壁９３と、により構成されている。平板部９１において、第１側壁９２及び第２側壁９３が延びている側の第１面９１ａは、端子ねじ１００が当接する。第１面９１ａとは反対側の第２面９１ｂは電線３００に当接する。
【００４４】
第１側壁９２の幅方向の長さは、平板部９１の幅方向の長さよりも長く、且つ端子枠１１０の端子枠貫通孔１１１の幅方向の長さよりも長くなっている。第２側壁９３の幅方向の長さは、端子枠１１０の端子枠貫通孔１１１の幅方向の長さよりも短くなっている。すなわち、端子補助板９０を端子ねじ１００のねじ込み方向に対して平板部９１を垂直にしたときに、第１側壁９２の第１側壁内面９２ａが端子枠１１０に当たるようになっている。
【００４５】
図１２〜図１４を参照して刃受け部４０とピラー端子８０と電線３００との関係を説明する。
図１２に示すように、端子枠１１０の端子枠貫通孔１１１には、端子補助板９０及び電線３００及び接触端子部７０が配置される。図１３に示すように、接触端子部７０は端子枠１１０の底面部１１５側に配置され、端子補助板９０は端子枠１１０の第２上面部１１７側に配置される。電線３００は端子枠１１０の下方から挿入され、接触端子部７０と端子補助板９０との間に配置される。端子枠１１０の底面部１１５と接触端子部７０とは幅方向に亘って接触している。接触端子部７０は断面視において円弧状に形成されているため、電線３００は接触端子部７０の略中間部に配置される。端子ねじ１００は、長手方向にねじ込まれる。端子ねじ１００の先端部１０１は端子補助板９０を押す。また図１４に示すように、端子補助板９０の第１側壁９２は、端子枠１１０の上部に当接して、下方に落ちないようになっている。また、第２側壁９３の第２側壁内面９３ａは、端子ねじ１００が端子枠１１０に対してねじ込まれたときに、その先端部１０１の側面が第２側壁内面９３ａに接触するようになっている。すなわち、第１側壁内面９２ａと第２側壁内面９３ａとの間隔は、端子枠１１０の上側の端面と端子ねじ１００の先端部１０１の下側面との間隔と略同等の距離となっている。
【００４６】
本実施形態のコンセントＡによれば、以下の効果を奏することができる。
（１）本実施形態では、端子枠１１０内において、端子ねじ１００の先端部１０１と電線３００との間に端子補助板９０が設けられ、この端子補助板９０と接触端子部７０との間で電線３００を固定する。
【００４７】
この発明によれば、端子補助板９０が端子ねじ１００とともに移動して、同端子補助板９０が電線３００を押圧するようになるため、電線３００と接触端子部７０とを確実に押圧することができる。
【００４８】
（２）本実施形態では、端子補助板９０の一方の側端（第１端部）には、端子ねじ１００に向けて伸びる第１側壁９２が設けられ、他方の側端（第２端部）には、端子ねじ１００に向けて伸びる第２側壁９３が設けられる。
【００４９】
この構成によれば、端子ねじ１００により電線３００を固定する作業の過程において、端子補助板９０が端子枠１１０に対して移動したとしても第１側壁９２または第２側壁９３が端子ねじ１００に係合するため、端子補助板９０が端子枠１１０から抜けることを抑制することができる。
【００５０】
（３）本実施形態では、第１側壁９２は端子枠１１０の外に配置されるとともに、第１側壁内面９２ａが端子枠１１０の壁部と接触する。この構成によれば、端子補助板９０は、端子枠１１０の壁部に係合して保持されているため、端子補助板９０が端子枠１１０から抜けることが抑制される。
【００５１】
（４）本実施形態では、第１側壁内面９２ａが端子枠１１０の壁部と接触するとともに、第２側壁内面９３ａが端子ねじ１００の先端部１０１の側面と接触する。この構成により、端子補助板９０が上下方向についての移動が抑制されるため、端子補助板９０により電線３００を押圧する際に、端子補助板９０を安定した状態で移動させることができ、また端子補助板９０を安定した状態で固定することができる。
【００５２】
（５）本実施形態の接触端子部７０は、端子枠１１０の幅方向において中間部が両端部よりも端子枠１１０の底面部１１５に向けて窪んだ形状となっている。従来であれば、端子ねじ１００をねじ込んで端子補助板９０を接触端子部７０の方に移動させるときに、端子補助板９０と接触端子部７０との間に挟まれる電線３００が接触端子部７０の側端の方に移動することがある。この点、本発明によれば、端子枠１１０は、幅方向において中間部が両端部よりも端子枠１１０の底面部１１５に向けて窪んだ形状のものであるため、電線３００が接触端子部７０の端の方へ移動することを抑制することができる。
【００５３】
（６）本実施形態では、端子枠１１０の底面部１１５は接触端子部７０に沿う形状にされている。端子枠１１０の底面部１１５は接触端子部７０に沿う形状とされていないものであれば、接触端子部７０と端子枠１１０の底面部１１５との間の隙間が不均等になるため、電線３００の配置によって、電線３００と接触端子部７０との接触が不十分となることがある。この点、この発明によれば、端子枠１１０の底面部１１５は接触端子部７０に沿う形状とされていないものと比較して、接触端子部７０と端子枠１１０の底面との間の隙間が均等になるため、電線３００と接触端子部７０との接触が不十分となることが生じる頻度を抑制することができる。
【００５４】
（７）本実施形態では、接触端子部７０と刃受けばね５０とが一体のものとして構成されている。この構成によれば、接触端子部７０と刃受けばね５０とが一体のものとして形成されるため、複数の部材により構成されるものと比較して組立工程等を省略することができ、その分製造コストを低減することができる。
【００５５】
（８）本実施形態では、接触端子部７０についての電線３００との接触面７１には、電線３００に係合する溝７２が設けられている。この構成によれば、電線３００が接触端子部７０に押圧されたときに電線３００と溝７２とが係合する。このため、電線３００の軸方向に引っ張る力が同電線３００に加わったときでも、電線３００の側面と溝７２とが引っ掛かる。すなわち、ピラー端子８０からの電線３００の抜けを抑制することができる。
【００５６】
（９）本実施形態のコンセントＡは、上記のピラー端子８０または端子部（端子）３を含むものである。この構成によれば、電線３００と接触端子部７０と電気的に接続する接続構造が上記のピラー端子８０により構成されているため、電線３００と接触端子部７０とが確実に押圧される。このため、コンセントＡからの電力供給が不安定になることを抑制することができる。
【００５７】
（第２実施形態）
第２実施形態について説明する。この実施形態では、ピラー端子を含むスイッチとして本発明を具体化した一例を示している。
【００５８】
本実施形態のスイッチは、第１実施形態のピラー端子と同様の構造のピラー端子を用いて構成されたものである。なお、第１実施形態と共通する構成については同一の符合を付してその説明を省略する。
【００５９】
図１５及び図１６に示すように、スイッチＢは、電線３００と接続する端子部２０１と、端子部２０１を収容するボディ２０２と、ボディ２０２の上部を覆うカバー部２０３と、カバー部２０３の上部に取り付けられて一対の電線３００を導通及び切断する押釦部２０４とにより構成されている。
【００６０】
図１６に示すように、押釦部２０４には、外側の押釦カバー２７０と、押釦カバー２７０の内側に配置される押釦本体２７１とが設けられている。押釦本体２７１には、接点端子２３０を支持する支持部２７２が設けられている。
【００６１】
接点端子２３０は、接点端子本体２３１と接点ばね２３３により構成されている。接点ばね２３３は接点端子本体２３１の上部に設けられている。接点ばね２３３の上部は、支持部２７２により保持されている。なお、同図では、接点ばね２３３の上部が省略されている。
【００６２】
端子部２０１は、第１実施形態のものと同様構造の第１ピラー端子２１０及び第２ピラー端子２２０と、第１ピラー端子２１０に対して配置される第１接触端子部２４０と、第２ピラー端子２２０に対して配置される第２接触端子部２５０と、前記接点端子２３０と、により構成されている。
【００６３】
ボディ２０２には、第１ピラー端子２１０を収容するピラー端子収容室２６０ａと、第２ピラー端子２２０を収容するピラー端子収容室２６０ｂと、第１接触端子部２４０の一部及び第２接触端子部２５０の一部及び接点端子２３０とを収容する接点端子収容室２６１とが設けられている。ボディ２０２の底面部であって第１ピラー端子２１０及び第２ピラー端子２２０に対向する部分には、電線３００が通る電線挿通口２６２が設けられている。ボディ２０２の側面部であって端子ねじ１００と対向する部分には、端子ねじ１００を回すための開口部２６３が形成されている。
【００６４】
図１７に示すように、第１接触端子部２４０には、電線３００に接触する第１電線接触部２４１と、接点端子２３０の下端が接触する第１接点接触部２４２と、第１電線接触部２４１と第１接点接触部２４２とを連結する連結部２４３とが設けられている。
【００６５】
第２接触端子部２５０には、電線３００に接触する第２電線接触部２５１と、接点端子２３０の接点２３２に接触する第２接点接触部２５２と、第２電線接触部２５１と第２接点接触部２５２とを連結する連結部２５３とが設けられている。
【００６６】
端子部２０１の各構成部品の配置関係について説明する。
第１ピラー端子２１０の端子枠１１０には、端子補助板９０及び第１電線接触部２４１が配置される。第１電線接触部２４１は端子枠１１０の底面部１１５側に配置され、端子補助板９０は端子枠１１０の第２上面部１１７側に配置される。
【００６７】
連結部２４３は、第１電線接触部２４１の下部に設けられ、同第１電線接触部２４１に対して垂直方向に延びている。連結部２４３の延長した方向には、第１接点接触部２４２が設けられている。第１接点接触部２４２に対して起立するように接点端子２３０が設けられている。接点端子２３０は、第１接点接触部２４２を回転の支点として揺動するようになっている。
【００６８】
第２ピラー端子２２０の端子枠１１０には、端子補助板９０及び第２電線接触部２５１が配置される。第２電線接触部２５１は端子枠１１０の底面部１１５側に配置され、端子補助板９０は端子枠１１０の第２上面部１１７側に配置される。
【００６９】
連結部２５３は、第２電線接触部２５１の上部に設けられ、同第２電線接触部２５１に対して垂直方向に延びている。連結部２５３の一端部には、同連結部２５３に対して略垂直下方に第２接点接触部２５２が設けられている。第２接点接触部２５２には、接点端子２３０の接点２３２と接触する被接点２５４が設けられている。
【００７０】
ここで、スイッチＢの動作について説明する。
押釦部２０４が押されることにより接点端子２３０が揺動する。接点端子２３０が第２接触端子部２５０側に傾いたとき、接点端子２３０の接点２３２が被接点２５４と接触する。これにより、第１ピラー端子２１０に接続されている電線３００と第２ピラー端子２２０に接続されている電線３００とが導通して、スイッチＢがオン状態となる。接点端子２３０が第１接触端子部２４０側に傾いたとき、接点端子２３０の接点２３２と被接点２５４とが離れて、スイッチＢがオフ状態となる。
【００７１】
本実施形態のスイッチＢによれば、先の第１実施形態による前記（１）〜（４）の効果に加えて、さらに以下に示す効果を奏することができる。
（１０）本実施形態のスイッチＢでは、上記のピラー端子８０を備えたものとなっている。この構成によれば、電線３００と接触端子部７０と電気的に接続する接続構造が上記のピラー端子８０により構成されているため、電線３００と接触端子部７０とが確実に押圧される。このため、スイッチＢの誤動作が生じる頻度を抑制することができる。
【００７２】
（その他の実施形態）
本発明のピラー端子の実施態様は、上記各実施形態に例示した内容に限定されるものではなく、例えば以下のように変更して実施することもできる。また、以下の各変形例は、対応する実施形態についてのみ適用されるものでなく、異なる変形例同士を互いに組み合わせて実施することもできる。
【００７３】
・上記第１実施形態では、端子補助板９０に第１側壁９２及び第２側壁９３が設けられているが、これらのいずれかまたは両方を省略してもよい。
・上記第１実施形態では、接触端子部７０と刃受けばね５０とが一体のものとして構成されているが、従来の刃受け部４０のように複数の部材から構成してもよい。
【００７４】
・上記第１実施形態では、接触端子部７０の接触面７１に溝７２を形成しているが、これに代えて、突起を設けてもよい。これによっても、溝７２を形成した場合と同様に、電線３００の抜けを抑制することができる。
【００７５】
・上記第１実施形態では、接触端子部７０の接触面７１に溝７２を形成しているが、この溝７２を省略してもよい。溝７２を省略した場合においても、接触端子部７０により電線３００が押圧されるため、上記（１）〜（１０）のうちで（８）以外の効果が奏する。
【００７６】
・上記第１実施形態では、接触端子部７０の断面構造が円弧状となるようにしているが、これに代えて、断面構造がＵ字状またはＶ字状または凹状となるように形成してもよい。このような構成によっても、接触端子部７０の中間部に電線３００が配置されるようになる。
【００７７】
・上記第１実施形態では、端子補助板９０の第２面９１ｂは平坦に形成されているが、この第２面９１ｂに、電線３００が配置される方向に対して交差する溝７２または突起を設けてもよい。このような構成によれば、電線３００と端子補助板９０とが係合するため、電線３００が抜けることが抑制される。
【００７８】
・上記第１実施形態では、端子補助板９０の平板部９１は平板状に形成されているが、これに代えて、接触端子部７０に沿うように屈曲してもよい。このような構成によれば、端子補助板９０と接触端子部７０との隙間が幅方向に亘って略均等になるため、電線３００を均等な圧力で押圧することができる。
【００７９】
・上記に挙げた第１実施形態の変形例は第２実施形態にも適用される。
【符号の説明】
【００８０】
１…収容ケース、２…扉部、３…端子部（端子）、１０…ボディ、１１…第１係合部、１２…隔壁、１３…端子収容室、１４…刃受け部収容室、１５…ピラー端子収容室、１６…突起、１７…底面部、１７ａ…電線挿通口、１８…側面部、１８ａ…開口部、２０…カバー、２１…第２係合部、２２…差込口、２３…係止部品、３０…開閉体、３１…開閉ばね、３２…支持部、３３…栓刃挿通口、４０…刃受け部、５０…刃受けばね、５１…刃受け部本体、５２…側端、５３…丸ピン受けばね、５３ａ…丸ピン接触部、５４…切り欠き部、５５…栓刃受けばね、５５ａ…栓刃接触部、６０…連結部、６１…位置決め部、６２…側端、７０…接触端子部、７１…接触面、７２…溝、８０…ピラー端子、９０…端子補助板、９１…平板部、９１ａ…第１面、９１ｂ…第２面、９２…第１側壁、９２ａ…第１側壁内面、９３…第２側壁、９３ａ…第２側壁内面、１００…端子ねじ、１０１…先端部、１１０…端子枠、１１１…端子枠貫通孔、１１２…ねじ穴、１１３…第１上面部、１１４…第１側面部、１１５…底面部、１１６…第２側面部、１１７…第２上面部、２０１…端子部、２０３…カバー部、２０４…押釦部、２１０…第１ピラー端子、２２０…第２ピラー端子、２３０…接点端子、２３１…接点端子本体、２３２…接点、２３３…接点ばね、２４０…第１接触端子部、２４１…第１電線接触部、２４２…第１接点接触部、２４３…連結部、２５０…第２接触端子部、２５１…第２電線接触部、２５２…第２接点接触部、２５３…連結部、２５４…被接点、２０２…ボディ、２６０ａ…ピラー端子収容室、２６０ｂ…ピラー端子収容室、２６１…接点端子収容室、２６２…電線挿通口、２６３…開口部、２７０…押釦カバー、２７１…押釦本体、２７２…支持部、３００…電線、９００…従来の刃受け部、９１０…刃受けばね、９１１…刃受け部本体、９１２…丸ピン受けばね、９１３…栓刃受けばね、９２０…端子部、９２１…接触端子部、９３０…リベット、Ａ…コンセント、Ｂ…スイッチ。
【図１】
0005437030.tif 000002
【図２】
0005437030.tif 000003
【図３】
0005437030.tif 000004
【図４】
0005437030.tif 000005
【図５】
0005437030.tif 000006
【図６】
0005437030.tif 000007
【図７】
0005437030.tif 000008
【図８】
0005437030.tif 000009
【図９】
0005437030.tif 000010
【図１０】
0005437030.tif 000011
【図１１】
0005437030.tif 000012
【図１２】
0005437030.tif 000013
【図１３】
0005437030.tif 000014
【図１４】
0005437030.tif 000015
【図１５】
0005437030.tif 000016
【図１６】
0005437030.tif 000017
【図１７】
0005437030.tif 000018